(57)【要約】【課題】高価な水中溶接を不要にし、海上接合コストを削減できることから、浮体のメンテナンスが可能となり、浮体構造物の寿命を延ばすことができる浮体構造物の海上接合法を得る。【解決手段】下部１ａ、３ａを水没させて得た浮力によって上部１ｂ、３ｂを水面上に浮かした浮体１、３同士を接合する浮体構造物の海上接合法において、浮体１、３同士の少なくとも喫水部分１ａ、３ａを締結具５によって接合し、浮体１、３同士の喫水部分１ａ、３ａよりも上方の上部１ｂ、３ｂを溶接６によって接合する。【選択図】　　　　図１
2004034851.tif 000002
【特許請求の範囲】
【請求項１】
下部を水没させて得た浮力によって上部を水面上に浮かした浮体同士を接合する浮体構造物の海上接合法において、
前記浮体同士の少なくとも喫水部分を締結具によって接合し、前記浮体同士の喫水部分よりも上部を溶接によって接合することを特徴とする浮体構造物の海上接合法。
【請求項２】
下部を水没させて得た浮力によって上部を水面上に浮かした浮体同士を接合する浮体構造物の海上接合法において、
前記浮体同士の少なくとも喫水部分を分離自在に締結しておき、
複数の前記浮体同士を連結した後に、特定の前記浮体の喫水部分のみを分離して除去し、該除去箇所に新たな喫水部分を締結することを特徴とする浮体構造物の海上接合法。
【発明の詳細な説明】
【０００１】
【発明の属する技術分野】
本発明は、浮体構造物の海上接合法に関し、特に、下部を水没させた浮体を水中溶接によらず接合する改良技術に関する。
【０００２】
【従来の技術】
近年、空港施設の拡張、石油備蓄基地、防災基地の新設などの要請に伴って、海上に大規模な平坦面を確保する所謂メガフロート工法による浮体構造物の構築が試みられている。メガフロート工法は、全国各地にある造船設備を使って浮体を構成するユニットが一斉に建造できるので建設工期が短い、工事の大部分が設備の整った工場内で行われるので建設費が安い、浮体式のため地盤状況などに左右されることがなく不同沈下もない、水に浮かんでいるので地面が揺れても殆ど揺れは伝わらず地震に強いなどの多くの長所を有している。また、潮の流れを殆ど変えることがないため、水質、底質、プランクトン、底生生物に与える影響も少なく環境に優しい利点もある。
【０００３】
浮体構造物としては、箱形浮体構造物や櫛形浮体構造物などがある。箱形浮体構造物は、複数の箱形浮体を連結してなる。櫛形浮体構造物は、デッキの下面に複数の櫛歯状浮体を等間隔に垂設してなる。これらの浮体構造物は、いずれも下部を水没させた複数の浮体の浮力によってデッキを水面上に支持している。そして、これらの浮体構造物は、複数に分割されたブロックを海上で接合することによって一体に構築されていた。
【０００４】
【発明が解決しようとする課題】
しかしながら、海上でブロック同士を接合するには水中溶接が必要となり、コストが高くなる問題があった。また、一度、浮体構造物が構築されてしまうと、メンテナンスが困難となるため、特に腐食のはげしい喫水部分に防食材料を用いる必要があり、材料コスト・製造コストの増大する欠点があった。
本発明は上記状況に鑑みてなされたもので、その第一の目的は、高価な水中溶接を不要にし、海上接合コストを削減できることから、浮体のメンテナンスが可能となり、もって、浮体構造物の寿命を延ばすことができる浮体構造物の海上接合法を提供することにある。また、その第二の目的は、高価な防食材料が不要となることにより、製造コストが低減できる浮体構造物の海上接合法を提供することにある。
【０００５】
【課題を解決するための手段】
上記目的を達成するための本発明に係る請求項１記載の浮体構造物の海上接合法は、下部を水没させて得た浮力によって上部を水面上に浮かした浮体同士を接合する浮体構造物の海上接合法において、前記浮体同士の少なくとも喫水部分を締結具によって接合し、前記浮体同士の喫水部分よりも上部を溶接によって接合することを特徴とする。
【０００６】
この浮体構造物の海上接合法では、浮体の喫水部分は締結具を用いて接合され、浮体の喫水部分よりも上部は溶接によって接合される。即ち、水中溶接の必要であった喫水部分が締結具によって接合され、水中溶接の不要な上部が通常の溶接で接合される。従って、下部を水没させた浮体であっても高価な水中溶接が不要となり、海上接合コストの削減が可能となる。これにより、浮体のメンテナンスが可能となる。また、メンテナンス可能なことが前提となるので、耐食性を高めるための高価な防食材料が不要となる。
【０００７】
請求項２記載の浮体構造物の海上接合法は、下部を水没させて得た浮力によって上部を水面上に浮かした浮体同士を接合する浮体構造物の海上接合法において、前記浮体同士の少なくとも喫水部分を分離自在に締結しておき、複数の前記浮体同士を連結した後に、特定の前記浮体の喫水部分のみを分離して除去し、該除去箇所に新たな喫水部分を締結することを特徴とする。
【０００８】
この浮体構造物の海上接合法では、浮体の喫水部分が分離自在に締結され、複数の浮体同士が連結された後には、特定の浮体の喫水部分のみが分離除去可能となり、その除去箇所に新たな喫水部分が締結される。従って、腐食のはげしい喫水部分が、高価な水中溶接を行わずに分離・再締結可能となり、海上接合コストが削減される。これにより、浮体のメンテナンスが可能となる。また、メンテナンス可能なことが前提となるので、耐食性を高めるための高価な防食材料が不要となる。
【０００９】
【発明の実施の形態】
以下、本発明に係る浮体構造物の海上接合法の好適な実施の形態を図面を参照して詳細に説明する。
図１は本発明に係る海上接合法の第一の実施の形態を説明する浮体接合部の側面図、図２は図１に示した海上接合法の具体的な接合例を表す工程説明図、図３は他の接合例を表す工程説明図である。
【００１０】
以下の各実施の形態で説明する浮体構造物の海上接合法は、箱形浮体構造物又は櫛形浮体構造物のいずれの接合部にも適用できるものである。箱形浮体構造物は、複数の箱形浮体を連結してなる。櫛形浮体構造物は、デッキの下面に複数の櫛歯状浮体を等間隔に垂設してなる。本海上接合法は、例えば箱形浮体構造物の場合には、分割された箱形浮体同士の接合に好適に用いることができる。また、櫛形浮体構造物の場合には、櫛歯状浮体の複数に分割されたユニット同士の接合、或いは櫛歯状浮体の一構成部分であるコラムの部分的な接合にも好適に用いることができる。
【００１１】
本実施の形態による海上接合法は、基本的に、図１に示すように、浮体１、３の少なくとも喫水部分１ａ、３ａは締結具５を用いて接合し、浮体１、３の喫水部分１ａ、３ａよりも上方の上部１ｂ、３ｂは溶接６によって接合する。これにより、下部（喫水部分１ａ、３ａ）を水没させ、浮力によって上部１ｂ、３ｂを水面上に浮かした浮体１、３を接合している。なお、図中、１０は喫水線を示す。また、「少なくとも喫水部分１ａ、３ａ」としたのは、喫水線１０より上の部分にも締結具５を用いてよい意味である。これにより、水中溶接を確実に不要にすることができる。換言すれば、「少なくとも喫水部分１ａ、３ａ」とは、「水中溶接の必要な部分」とすることができる。
【００１２】
この海上接合法のより具体的な接合例としては、図２（ａ）に示すように、浮体１、３の接合部における側面の下部に、側面に垂直に突出する締結具５であるボルト７を植設しておく。そして、図２（ｂ）に示すように、両方の浮体１、３を接近方向に移動して当接させた後、所定位置にボルト挿通穴９を穿設した締結具５である連結板１１を、ボルト７に挿通し、ナット１３を螺着する。これにより、図３（ｃ）に示すように、浮体１、３の側板は、下部が締結具５によって接合される。次いで、浮体１、３の上部１ｂ、３ｂにおける接合部を、通常の溶接６によって接合する。なお、図２には一方の側面のみを示しているが、反対側の側面も同様に接合される。また、締結具５の数は、その要求接合強度によって適宜に設定される。
【００１３】
この浮体構造物の海上接合法によれば、浮体１、３の喫水部分１ａ、３ａは締結具５を用いて接合され、浮体１、３の喫水部分１ａ、３ａよりも上方の上部１ｂ、３ｂは溶接６によって接合される。即ち、水中溶接の必要であった喫水部分１ａ、３ａが締結具５によって接合され、水中溶接の不要な上部１ｂ、３ｂが通常の溶接６で接合される。従って、下部を水没させた浮体１、３のメンテナンスに高価な水中溶接が不要となり、海上接合コストの削減が可能となる。これにより、浮体１、３のメンテナンスが可能となる。また、メンテナンス可能なことが前提となるので、耐食性を高めるための高価な防食材料が不要となる。
【００１４】
更に、この浮体構造物の海上接合法によれば、予めボルト７を浮体１、３の側板に植設しておき、浮体１、３の側面から作業が行えるので、例えば対向する接合端面１７が奥（例えば図２（ａ）の左方）へ後退し、浮体内部からの締結が行えない浮体１、３であっても、締結具５による接合を可能にすることができる。
【００１５】
また、第一の実施の形態の他の接合例としては、図３（ａ）に示すように、浮体１、３の対向する接合端面１７、１７の下部にボルト穴１９を穿設しておき、図３（ｂ）に示すように、一方の浮体１の内部から挿通したボルト２１に、他方の浮体３内でナット２３を螺合して、接合端面１７、１７同士を螺着するものであってもよい。この場合においても、上部１ｂ、３ｂの接合部は、通常の溶接６によって接合する。
【００１６】
なお、この例では、浮体１、３の接合端面１７、１７にボルト穴１９を穿設するので、少なくとも接合端面１７、１７における喫水部分１ａ、３ａの各辺部に弾性材２５を貼設することが好ましい。この弾性材２５によって、接合端面１７、１７の凹凸を吸収し、密接性を高めることができ、また、水密性も向上させることができる。
【００１７】
この浮体構造物の海上接合法によれば、図２に示した海上接合法と同様に、浮体１、３の喫水部分１ａ、３ａは締結具５を用いて接合され、浮体１、３の喫水部分１ａ、３ａよりも上方の上部１ｂ、３ｂは溶接６によって接合されるので、高価な水中溶接が不要となり、海上接合コストの削減が可能となる。これにより、浮体１、３のメンテナンスが可能となり、耐食性を高めるための高価な防食材料も不要となる。
【００１８】
次に、本発明に係る海上接合法の第二の実施の形態を説明する。
図４は第二の実施の形態を説明する工程説明図である。
この実施の形態による海上接合法で用いる浮体３１、３３、３５は、図４（ａ）に示すように、少なくとも喫水部分３１ａ、３３ａ、３５ａを分離自在に締結している。締結は、浮体３１、３３、３５の側板にボルトを植設しておき、そのボルトに締結具である連結板３７を螺着する構造、或いは浮体３１、３３、３５の側板にボルト穴を穿設しておき、浮体３１、３３、３５の内外からボルト・ナットによって連結板３７を螺着する構造とすることができる。そして、喫水部分３１ａ、３３ａ、３５ａよりも上方の上部３１ｂ、３３ｂ、３５ｂは、通常の溶接６で接合する。なお、「少なくとも喫水部分３１ａ、３３ａ、３５ａ」としたのは、分離・接合を行う境界部が喫水線１０より上となってもよい意味である。これにより、水中溶接を確実に不要にすることができる。換言すれば、「少なくとも喫水部分３１ａ、３３ａ、３５ａ」とは、「水中溶接の必要な部分」とすることができる。
【００１９】
従って、複数の浮体３１、３３、３５を連結した後に、特定の浮体３３の喫水部分３３ａがはげしく腐食した場合には、図４（ｂ）に示すように、特定の浮体３３の喫水部分３３ａのみの締結具を締結解除して、分離除去し、その除去箇所に新たな喫水部分３３ａを締結する。即ち、水中溶接の必要な喫水部分から下部の浮体は、溶接によらず、締結具の締結解除・再締結によって交換可能となっている。
【００２０】
この浮体構造物の海上接合法によれば、浮体３１、３３、３５の喫水部分３１ａ、３３ａ、３５ａが分離自在に締結され、複数の浮体３１、３３、３５が連結された後には、特定の浮体３３の喫水部分３３ａのみが分離除去可能となり、その除去箇所に新たな喫水部分３３ａが締結される。従って、腐食のはげしい喫水部分が、高価な水中溶接を行わずに分離・再締結可能となり、海上接合コストの削減が可能となる。これにより、浮体３１、３３、３５のメンテナンスが可能となる。また、メンテナンス可能なことが前提となるので、耐食性を高めるための高価な防食材料が不要となる。
【００２１】
なお、上記の各実施の形態では、締結具としてボルトを用いる場合を例に説明したが、締結具には、リベットや、その他の締結手段を用いても上記した効果と同様の効果を奏することは言うまでもない。
【００２２】
【発明の効果】
以上詳細に説明したように、本発明に係る請求項１記載の浮体構造物の海上接合法によれば、浮体の喫水部分は締結具を用いて接合し、浮体の喫水部分よりも上部は溶接によって接合するので、下部を水没させた浮体のメンテナンスに高価な水中溶接が不要となり、海上接合コストを削減することができる。この結果、浮体のメンテナンスが可能となり、浮体構造物の寿命を延ばすことができる。また、メンテナンス可能なことが前提となるので、耐食性を高めるための高価な防食材料が不要となり、浮体構造物の製造コストを低減することができる。
【００２３】
請求項２記載の浮体構造物の海上接合法によれば、浮体の喫水部分を分離自在に締結しておき、複数の浮体同士を連結した後に、特定の浮体の喫水部分のみを分離して除去し、その除去箇所に新たな喫水部分を締結するので、腐食のはげしい喫水部分を、高価な水中溶接を行わずに分離・再締結でき、海上接合コストを削減することができる。この結果、浮体のメンテナンスが可能となり、浮体構造物の寿命を延ばすことができる。また、メンテナンス可能なことが前提となるので、耐食性を高めるための高価な防食材料が不要となり、浮体構造物の製造コストを低減することができる。
【図面の簡単な説明】
【図１】本発明に係る海上接合法の第一の実施の形態を説明する浮体接合部の側面図である。
【図２】図１に示した海上接合法の具体的な接合例を表す工程説明図である。
【図３】他の接合例を表す工程説明図である。
【図４】第二の実施の形態を説明する工程説明図である。
【符号の説明】
１、３；浮体
１ａ、３ａ；喫水部分
１ｂ、３ｂ；上部
５；締結具
６；溶接
３１、３３、３５；浮体
３１ａ、３３ａ、３５ａ；喫水部分
３１ｂ、３３ｂ、３５ｂ；上部
【図１】
2004034851.tif 000003
【図２】
2004034851.tif 000004
【図３】
2004034851.tif 000005
【図４】
2004034851.tif 000006